(57)【特許請求の範囲】
【請求項１】
壁面の下地材に対して複数が横方向へ間欠的に配置される縦長の自重受け金具と、
複数のタイルを横並びに載置するために前記自重受け金具に対して複数が縦方向へ間欠的に配置される横長のベース金具と、を有し、
前記自重受け金具は、前記下地材に当接させる凹部から、前記ベース金具を係止するためのフックを設けた受板が前記下地材から離間するように連設され、前記ベース金具を前記フックに掛けるときに押し下げられ、係止された後は前記ベース金具が外れないように弾性で元に戻るせり上がり防止片を突出させた、
ことを特徴とするタイル係止部材の脱離防止構造。
【請求項２】
前記自重受け金具は、前記ベース金具を任意の高さで係止可能に複数の前記フック及びせり上がり防止片が縦方向へ間欠的に設けられる、
ことを特徴とする請求項１に記載のタイル係止部材の脱離防止構造。
【請求項３】
前記ベース金具は、前記フックに係止可能な掛部が形成され、前記掛部の縦幅が前記フックと前記せり上がり防止片の縦間隔より長い、
ことを特徴とする請求項１又は２に記載のタイル係止部材の脱離防止構造。
【請求項４】
前記ベース金具は、前記タイルと前記下地材との間の接着剤を絡ませるために空けられた複数の孔を有する、
ことを特徴とする請求項１乃至３の何れか一に記載のタイル係止部材の脱離防止構造。
【発明の詳細な説明】
【技術分野】
【０００１】
本発明は、建物の壁面に乾式で貼り付けたタイルの支持金具が風や振動などで脱離するのを防止する構造に関する。
【背景技術】
【０００２】
建物の外壁は、下地材にタイルや石材などを貼り付けることで仕上げられる。仕上方法としては、下地材にモルタルで直接タイル等を貼着する湿式工法や、下地材に固定した支持金具にタイル等を係止して接着剤で貼着する乾式工法などがある。下地材としては、ＰＣ（プレキャストコンクリート）板や、ＡＬＣ（高温高圧蒸気養生された軽量気泡コンクリート）パネルや、ＥＣＰ（押出成形セメント板）などがある。
【０００３】
乾式工法では、例えば、下地材に縦長の支持金具を横方向に間欠的に固定し、そこに横長の支持金具を縦方向に間欠的に固定することで、タイル等を係止する手段を設けている。特許文献１に記載されているように、地震等の揺動や振動を吸収し、タイルの割れや剥離による落下を防止する構造の発明も開示されている。また、特許文献２に記載されているように、タイルの位置決めを容易にした構造の発明も開示されている。
【先行技術文献】
【特許文献】
【０００４】
【特許文献１】特許第４４５４５１３号公報
【特許文献２】特許第４６３６９３８号公報
【発明の概要】
【発明が解決しようとする課題】
【０００５】
しかしながら、特許文献２に記載の発明においては、縦長の支持金具に複数のフックを並設することにより横長の支持金具を固定する高さ（位置）を調整可能としているが、タイルと支持金具を接着剤で貼着していたとしても、風や振動などで支持金具同士の連結が外れてしまえば、それに伴いタイルも落下してしまう。
【０００６】
そこで、本発明は、建物の壁面に乾式で貼り付けたタイルの支持金具が風や振動などで脱離するのを防止することを目的とする。
【課題を解決するための手段】
【０００７】
上記の課題を解決するために、本発明であるタイル係止部材の脱離防止構造は、壁面の下地材に対して複数が横方向へ間欠的に配置される縦長の自重受け金具と、複数のタイルを横並びに載置するために前記自重受け金具に対して複数が縦方向へ間欠的に配置される横長のベース金具と、を有し、前記自重受け金具は、前記下地材に当接させる凹部から、前記ベース金具を係止するためのフックを設けた受板が前記下地材から離間するように連設され、前記ベース金具を前記フックに掛けるときに押し下げられ、係止された後は前記ベース金具が外れないように弾性で元に戻るせり上がり防止片を突出させた、ことを特徴とする。
【０００８】
前記タイル係止部材の脱離防止構造において、前記自重受け金具は、前記ベース金具を任意の高さで係止可能に複数の前記フック及びせり上がり防止片が縦方向へ間欠的に設けられる、ことを特徴とする。
【０００９】
前記タイル係止部材の脱離防止構造において、前記ベース金具は、前記フックに係止可能な掛部が形成され、前記掛部の縦幅が前記フックと前記せり上がり防止片の縦間隔より長い、ことを特徴とする。
【００１０】
前記タイル係止部材の脱離防止構造において、前記ベース金具は、前記タイルと前記下地材との間の接着剤を絡ませるために空けられた複数の孔を有する、ことを特徴とする。
【発明の効果】
【００１１】
本発明によれば、建物の壁面に乾式で貼り付けたタイルの支持金具が風や振動などで脱離するのを防止することができる。下地材に縦長の支持金具を横方向に間欠的に固定し、そこに横長の支持金具を任意の高さに着脱可能に取り付けた場合でも、風や振動などで支持金具同士の連結が外れることはない。
【図面の簡単な説明】
【００１２】
【図１】本発明であるタイル係止部材の脱離防止構造の上部構造を示す正面図、平面図及び側面図である。
【図２】本発明であるタイル係止部材の脱離防止構造の下部構造を示す正面図、平面図及び側面図である。
【図３】本発明であるタイル係止部材の脱離防止構造の自重受け金具を示す正面図、平面図及び側面図である。
【図４】本発明であるタイル係止部材の脱離防止構造のベース金具を示す正面図、平面図及び側面図である。
【図５】本発明であるタイル係止部材の脱離防止構造のベース金具を斜めから写した写真である。
【図６】本発明であるタイル係止部材の脱離防止構造の自重受け金具とベース金具の交差部を拡大した正面図及び側面図である。
【図７】本発明であるタイル係止部材の脱離防止構造の自重受け金具とベース金具の交差部を正面から写した写真である。
【図８】本発明であるタイル係止部材の脱離防止構造の自重受け金具の別の実施例を示す正面図、平面図及び側面図である。
【発明を実施するための形態】
【００１３】
以下に、本発明の実施形態について図面を参照して詳細に説明する。同一機能を有するものは同一符号を付け、その繰り返しの説明は省略する場合がある。
【実施例１】
【００１４】
まず、本発明であるタイル係止部材の脱離防止構造の全体構造について説明する。図１は、タイル係止部材の脱離防止構造の上部構造を示す（ａ）正面図、（ｂ）平面図、（ｃ）側面図であり、図２は、下部構造を示す（ａ）正面図、（ｂ）平面図、（ｃ）側面図である。なお、正面図においてはタイルを透過した状態で示す。
【００１５】
図１及び図２に示すように、建物の外壁を乾式工法で仕上げる場合において、タイル係止部材の脱離防止構造は、壁面１００の下地材１２０に対して複数が横方向へ間欠的に配置される縦長の自重受け金具２００、及び１枚又は複数のタイル１１０を横並びに載置するために自重受け金具２００に対して複数が縦方向へ間欠的に配置される横長のベース金具３００等を有する。
【００１６】
自重受け金具２００は、下地材１２０の上部から下部まで縦に配置され、ベース金具３００は下地材１２０の左端から右端まで横に配置される。自重受け金具２００は、下地材１２０の左端から右端にかけて所定の間隔を置いて複数配置しても良い。ベース金具３００は、下地材１２０の上部から下部にかけて所定の間隔を置いて複数配置する。
【００１７】
建物の外壁に通気層を確保するために胴縁１４０を設けている場合は、その位置に合わせて自重受け金具２００を配置する。胴縁１４０には、例えば、金属製のＣ型鋼などがある。自重受け金具２００から下地材１２０を通して胴縁１４０までビス１５０を貫通させて固定すれば良い。
【００１８】
タイル１１０は、ベース金具３００に設けたタイル受け３２０に載せた上で、部分的又は全体的に塗布された接着剤１３０で下地材１２０に接着される。なお、接着剤１３０には、例えば、弾性接着剤などが用いられ、ベース金具３００のうち自重受け金具２００と重ならない位置において、タイル１１０と下地材１２０の間に塗布される。
【００１９】
タイル１１０には、陶磁器製のものだけでなく、薄い石材など装飾用の板材が含まれる。また、矩形状のものだけでなく、様々な形状のもの（不定形のものも含む）でも良い。タイル１１０は、ベース金具３００と同じ横幅の１枚を載せても良いし、横幅が短い複数枚を載せても良い。タイル１１０は、一のベース金具３００の上部から、上方に隣接する他のベース金具３００の下部にかけて配置される。
【００２０】
なお、下地材１２０の上端に配置されるタイル１１０を支持するために、ベース金具３００の下部に相当する上端金具１６０ａを設けても良い。また、下地材１２０の下端に配置されるタイル１１０を支持するために、ベース金具３００の上部に相当する下端金具１６０ｂを設けても良い。なお、下端金具１６０ｂには、タイル受け３２０に相当するものを設けてタイル１１０を載置する。
【００２１】
図３は、タイル係止部材の脱離防止構造の自重受け金具を示す（ａ）正面図、（ｂ）平面図、（ｃ）側面図であり、図４は、ベース金具を示す（ａ）正面図、（ｂ）平面図、（ｃ）側面図であり、図５は、ベース金具を斜めから写した写真である。
【００２２】
図３に示すように、自重受け金具２００は、下地材１２０に当接させる凹部２３０、及びベース金具３００を係止するためのフック２２０（上フック２２０ａ及び下フック２２０ｂ）を設けた受板２１０等を有する。例えば、凹部２３０の左右両側から受板２１０が下地材１２０から離間するように連設される。また、自重受け金具２００には、せり上がり防止片２４０を設ける。
【００２３】
フック２２０は、左側の受板２１０と右側の受板２１０の両方に対して、プレス加工により逆Ｕ字状に切り込みを入れて手前側に盛り上がるように起こすことで、上側から掛けられるようにすれば良い。せり上がり防止片２４０もプレス加工によりＵ字状に切り込みを入れて手前側に突出させれば良い。
【００２４】
せり上がり防止片２４０は、ベース金具３００をフック２２０に掛けるときに弾性により押し下げられ、ベース金具３００がフック２２０に係止された後は弾性で元に戻り、ベース金具３００が自重受け金具２００から簡単に外れないように隙間を塞ぐ。
【００２５】
例えば、凹部２３０にせり上がり防止片２４０を設けた場合、受板２１０より高い位置までせり上がり防止片２４０を突出させる。せり上がり防止片２４０を受板２１０の位置まで押し下げることにより、ベース金具３００がフック２２０に入り込むための隙間を作ると共に、ベース金具３００をフック２２０の高さに合わせることが可能となる。
【００２６】
自重受け金具２００には、ベース金具３００を任意の高さで係止可能に複数のフック２２０及びせり上がり防止片２４０を縦方向へ間欠的に設けても良い。なお、フック２２０に掛けたときのベース金具３００よりも、せり上がり防止片２４０が上の位置に来ていれば良い。
【００２７】
図４及び図５に示すように、ベース金具３００には、タイル１１０を載置可能にタイル受け３２０、及びフック２２０に係止可能な掛部３３０（上掛部３３０ａ及び下掛部３３０ｂ）等が形成される。タイル受け３２０は、プレス加工により逆Ｕ字状に切り込みを入れて手前側に水平に突出させれば良い。
【００２８】
上掛部３３０ａは、フック２２０に掛かるように、上端を後側に折り返すように下方に向ければ良い。下掛部３３０ｂも、フック２２０に掛かるように、下端を後側にクランク状に折って下方に向ければ良い。なお、掛部３３０の縦幅をフック２２０とせり上がり防止片２４０の縦間隔より長くして、そのままでは掛部３３０が縦間隔の隙間に入らないようにする。
【００２９】
ベース金具３００には、タイル１１０と下地材１２０との間の接着剤１３０を絡ませるために、プレス加工で打ち抜く等して複数の孔が空けられる。ベース金具３００の孔を通してタイル１１０と下地材１２０とが接着されることで剥離しづらくなる。
【００３０】
図６は、本発明であるタイル係止部材の脱離防止構造の自重受け金具とベース金具の交差部を拡大した（ａ）正面図、（ｂ）側面図であり、図７は、自重受け金具とベース金具の交差部を正面から写した写真である。
【００３１】
図６及び図７に示すように、縦長の自重受け金具２００に横長のベース金具３００を交差するように係止する。具体的には、ベース金具３００の上掛部３３０ａを自重受け金具２００の上フック２２０ａに掛け、ベース金具３００の下掛部３３０ｂを自重受け金具２００の下フック２２０ｂに掛ける。
【００３２】
上掛部３３０ａを上フック２２０ａに掛けるとき、せり上がり防止片２４０が突出していて入らないので、せり上がり防止片２４０をバネに付勢するように押し下げて上掛部３３０ａを入れる。上掛部３３０ａが上フック２２０ａに係止されると、せり上がり防止片２４０がバネの復元により元の位置に戻って上方にあるので、上掛部３３０ａが上フック２２０ａから外れない。
【００３３】
乾式工法では、支持金具（自重受け金具２００及びベース金具３００）を介してタイル１１０を貼り付けているが、タイル１１０自体が下地材１２０と接着されていても、振動などにより自重受け金具２００からベース金具３００が外れれば、接着剤１３０も剥離してタイル１１０が落下してしまう。支持金具を着脱可能ではあるが、係止時は容易に外れないようにすることで、接着剤１３０の劣化を抑止し、タイル１１０の落下も防止される。
【実施例２】
【００３４】
図８は、タイル係止部材の脱離防止構造の自重受け金具の別の実施例を示す（ａ）正面図、（ｂ）平面図、（ｃ）側面図である。図８に示すように、自重受け金具２００ａの受板２１０に、フック２２０より両端側にせり上がり防止片２４０ａを設けても良い。
【００３５】
本発明によれば、建物の壁面に乾式で貼り付けたタイルの支持金具が風や振動などで脱離するのを防止することができる。下地材に縦長の支持金具を横方向に間欠的に固定し、そこに横長の支持金具を任意の高さに着脱可能に取り付けた場合でも、風や振動などで支持金具同士の連結が外れることはない。
【００３６】
以上、本発明の実施例を述べたが、これらに限定されるものではない。
【符号の説明】
【００３７】
１００：壁面
１１０：タイル
１２０：下地材
１３０：接着剤
１４０：胴縁
１５０：ビス
１６０ａ：上端金具
１６０ｂ：下端金具
２００：自重受け金具
２００ａ：自重受け金具
２１０：受板
２２０：フック
２２０ａ：上フック
２２０ｂ：下フック
２３０：凹部
２４０：せり上がり防止片
２４０ａ：せり上がり防止片
３００：ベース金具
３１０：前板
３２０：タイル受け
３３０ａ：上掛部
３３０ｂ：下掛部
【要約】
【課題】建物の壁面に乾式で貼り付けたタイルの支持金具が風や振動などで脱離するのを防止する。
【解決手段】タイル係止部材の脱離防止構造は、壁面の下地材に対して複数が横方向へ間欠的に配置される縦長の自重受け金具と、複数のタイルを横並びに載置するために前記自重受け金具に対して複数が縦方向へ間欠的に配置される横長のベース金具と、を有し、前記自重受け金具は、前記下地材に当接させる凹部から、前記ベース金具を係止するためのフックを設けた受板が前記下地材から離間するように連設され、前記ベース金具を前記フックに掛けるときに押し下げられ、係止された後は前記ベース金具が外れないように弾性で元に戻るせり上がり防止片を突出させた、ことを特徴とする。
【選択図】図１【図１】
0006836819.tif 000002
【図２】
0006836819.tif 000003
【図３】
0006836819.tif 000004
【図４】
0006836819.tif 000005
【図５】
0006836819.tif 000006
【図６】
0006836819.tif 000007
【図７】
0006836819.tif 000008
【図８】
0006836819.tif 000009